(57)【特許請求の範囲】
【請求項１】
発電プラントの複数の発電ユニットを監視する発電プラント監視システムにおいて、
複数の発電ユニットからそれぞれ収集された当該複数の発電ユニットの監視項目に対応する複数のパラメータデータをそれぞれ入力する入力手段と、入力された複数のパラメータデータを無次元化するための基準となる無次元化基準データを記憶する記憶手段と、前記無次元化基準データに基づいて前記複数のパラメータデータを無次元化することにより、当該複数のパラメータデータに対応し、かつ前記複数の発電ユニットそれぞれの特性に非依存な無次元表示データを生成する生成手段とを備え、
前記無次元化基準データは、前記複数の発電ユニット毎および複数のパラメータデータ毎にそれぞれ設定されており、各発電ユニットの各パラメータデータに対応する無次元化基準データは、対応する発電ユニットの運転状態に応じて異なる値を有しており、
前記記憶手段は、複数の発電ユニット毎、複数のパラメータデータ毎および対応する発電ユニットの運転状態毎の無次元化基準データ群を記憶する手段であり、
前記生成手段は、前記記憶手段に記憶された無次元化基準データ群の中から、前記複数の発電ユニットそれぞれの現在の運転状態に対応する無次元化基準データをそれぞれ選択し、選択した複数の無次元化基準データに基づいて当該複数の発電ユニットに対応する複数のパラメータデータをそれぞれ無次元化することにより、前記複数のパラメータデータに対応する無次元表示データを生成する選択手段を有したことを特徴とする発電プラント監視システム。
【請求項２】
前記複数の発電ユニット毎、複数のパラメータデータ毎および対応する発電ユニットの運転状態毎の無次元化基準データ群は、複数のパラメータデータそれぞれの定格値および前記複数の発電ユニットそれぞれの発電機出力域に対応した定常値の集合であることを特徴とする請求項１記載の発電プラント監視システム。
【請求項３】
前記定常値は、前記発電機出力域における複数の定常状態域に応じてそれぞれ設定されており、
前記選択手段は、前記複数の発電ユニットそれぞれの現在の運転状態が定常状態域内か否か判断する判断手段と、この判断の結果、前記複数の発電ユニットそれぞれの現在の運転状態が所定の定常状態域内であるとされた場合に、前記複数のパラメータデータを対応する定格値に基づいて無次元化して生成された無次元データと前記複数の発電ユニット、複数のパラメータデータおよび前記所定の定常状態域それぞれに対応する定常値とを用いて、前記複数のパラメータデータに対応し、かつ当該定常値からの偏差を含む無次元表示データを生成する手段と、前記判断手段の判断の結果、前記複数の発電ユニットそれぞれの現在の運転状態が所定の定常状態域外であるとされた場合に、前記複数のパラメータデータを対応する定格値に基づいて無次元化して前記無次元表示データを生成する手段とを備えたことを特徴とする請求項２記載の発電プラント監視システム。
【発明の詳細な説明】
【０００１】
【発明の属する技術分野】
本発明は、発電プラントを監視する発電プラント監視システムに係り、特に、発電プラントにおける複数の発電設備を総括して監視するための発電プラント監視方法システムに関する。
【０００２】
【従来の技術】
通常、発電プラントは少なくとも１つの発電所を有し、この発電所は、複数の発電設備を備えている。この各発電設備は、発電ユニットと称されており、発電プラントの運転は、各発電ユニット毎に独立して行われている。
【０００３】
すなわち、運転当直長を含む複数人の運転員を１グループとする複数のグループが交代で勤務することにより、中央制御室において、各発電ユニット毎に複数の運転員が２４時間体制で常駐し、各発電ユニットのプラント運転に係るパラメータデータを各発電ユニット毎に監視している。
【０００４】
ところで、近年では、少数運転員により発電プラントを安全運転させることが要求されており、複数の発電ユニットを総括して監視、制御する方法も検討されている。
【０００５】
すなわち、複数の発電ユニットの運転に係るパラメータデータを例えば中央制御室１ヵ所で集中監視するべく、各発電ユニットから送られた運転に係るパラメータデータを集めて各発電ユニットを総括的に監視する場合、例えば、図２４に示すように、発電プラント内の全ての発電所（例えば、Ａ発電所、Ｂ発電所、Ｃ発電所の３つとする）の複数の発電ユニット｛Ａ発電所→１号機（♯１）〜３号機（♯３）の３ユニット；Ｂ発電所→１号機（♯１）〜２号機（♯２）の２ユニット、Ｃ発電所→１号機（♯１）〜２号機（♯２）の２ユニット｝それぞれの現在の発電機出力を総括的に一覧表示する画面Ｉ１や、図２５に示すように、各発電所（例えば、図２５ではＡ発電所）の各発電ユニット１号機〜３号機の例えば主要な監視項目に対応するパラメータデータ値、例えば、発電機出力（単位：ＭＷ）、タービン入口側主蒸気温度（ａ温度；単位：℃）、タービン出口側主蒸気温度（ｂ温度；単位：℃）、蒸気圧力（ｃ圧力；単位：ＭＰａ）、蒸気流量（ｄ流量；単位：ｔ／ｈ）を総括的に一覧表示する画面Ｉ２等が総括監視用画面として作成されてモニタに表示される。
【０００６】
【発明が解決しようとする課題】
一つの発電ユニットを運転員が専門で監視する場合には、その運転員は、対応する発電ユニットを構成する各設備機器の定格容量やプラント特性等のプラント設備機器固有の情報を基本的知識として体得していることが多く、発電ユニット（プラント）の現在の主要監視項目のパラメータデータの状態値（データ値）を見れば、その発電ユニットの現在状態、例えば、設備容量に対する余力やプラント特性異常の有無等を容易に認識することができる。
【０００７】
しかしながら、複数の発電ユニットを総括的に監視する場合においては、複数の発電ユニットの定格容量等の特性および状態は互いに異なっており、それら特性の異なる複数の発電ユニットの運転に係る主要監視項目のパラメータデータは、それぞれのユニットの特性および状態が異なるにも拘らず、図２４および図２５に示すように、その特性および状態の違いに影響を受けた物理量（単位）として表示される。
【０００８】
したがって、複数の発電ユニットを総括的に監視する運転員は、複数の発電ユニットの運転に係るパラメータデータ値を、複数の発電ユニットそれぞれの特性および状態の違いを考慮しながら監視して、複数の発電ユニットの現在状態を迅速に把握することは非常に難しく、運転員に過度の負担がかかることになり、複数の発電ユニットを総括監視する場合でも運転員の数を十分に削減することができなかった。
【０００９】
本発明は、上述した事情に鑑みてなされたものであり、複数の発電ユニットの運転に係るパラメータデータ値を、複数の発電ユニットの特性および状態の違いに影響されないデータ値に変換して総括表示することにより、運転員の数を大幅に削減しながら複数の発電ユニットの現在状態を迅速に把握することを可能にした発電プラント監視システムを提供することをその目的とする。
【００１０】
【課題を解決するための手段】
上述した目的を達成するための請求項１記載の発明によれば、発電プラントの複数の発電ユニットを監視する発電プラント監視システムにおいて、複数の発電ユニットからそれぞれ収集された当該複数の発電ユニットの監視項目に対応する複数のパラメータデータをそれぞれ入力する入力手段と、入力された複数のパラメータデータを無次元化するための基準となる無次元化基準データを記憶する記憶手段と、前記無次元化基準データに基づいて前記複数のパラメータデータを無次元化することにより、当該複数のパラメータデータに対応し、かつ前記複数の発電ユニットそれぞれの特性に非依存な無次元表示データを生成する生成手段とを備え、前記無次元化基準データは、前記複数の発電ユニット毎および複数のパラメータデータ毎にそれぞれ設定されており、各発電ユニットの各パラメータデータに対応する無次元化基準データは、対応する発電ユニットの運転状態に応じて異なる値を有しており、前記記憶手段は、複数の発電ユニット毎、複数のパラメータデータ毎および対応する発電ユニットの運転状態毎の無次元化基準データ群を記憶する手段であり、前記生成手段は、前記記憶手段に記憶された無次元化基準データ群の中から、前記複数の発電ユニットそれぞれの現在の運転状態に対応する無次元化基準データをそれぞれ選択し、選択した複数の無次元化基準データに基づいて当該複数の発電ユニットに対応する複数のパラメータデータをそれぞれ無次元化することにより、前記複数のパラメータデータに対応する無次元表示データを生成する選択手段を有している。
【００１６】
請求項２記載の発明では、前記複数の発電ユニット毎、複数のパラメータデータ毎および対応する発電ユニットの運転状態毎の無次元化基準データ群は、複数のパラメータデータそれぞれの定格値および前記複数の発電ユニットそれぞれの発電機出力域に対応した定常値の集合である。
【００１７】
請求項３記載の発明では、前記定常値は、前記発電機出力域における複数の定常状態域に応じてそれぞれ設定されており、前記選択手段は、前記複数の発電ユニットそれぞれの現在の運転状態が定常状態域内か否か判断する判断手段と、この判断の結果、前記複数の発電ユニットそれぞれの現在の運転状態が所定の定常状態域内であるとされた場合に、前記複数のパラメータデータを対応する定格値に基づいて無次元化して生成された無次元データと前記複数の発電ユニット、複数のパラメータデータおよび前記所定の定常状態域それぞれに対応する定常値とを用いて、前記複数のパラメータデータに対応し、かつ当該定常値からの偏差を含む無次元表示データを生成する手段と、前記判断手段の判断の結果、前記複数の発電ユニットそれぞれの現在の運転状態が所定の定常状態域外であるとされた場合に、前記複数のパラメータデータを対応する定格値に基づいて無次元化して前記無次元表示データを生成する手段とを備えている。
【００２２】
【発明の実施の形態】
以下、本発明に係る発電プラント監視システムの実施の形態について、添付図面を参照して説明する。
（第１の実施の形態）
図１は、本実施形態に係る発電プラント監視システム１の概略構成を示すブロック図である。
【００２３】
図１によれば、発電プラント監視システム１は、発電プラントＰにおける全ての発電所（本実施形態では、Ａ発電所、Ｂ発電所、Ｃ発電所の都合３発電所とする）の複数の発電ユニット｛例えば、Ａ発電所→１号発電ユニットＹＡ１（１号機）〜３号発電ユニットＹＡ３（３号機）；Ｂ発電所→１号発電ユニットＹＢ１（１号機）〜２号発電ユニットＹＢ２（２号機）、Ｃ発電所→１号発電ユニットＹＣ１（１号機）〜２号発電ユニットＹＣ２（２号機）｝それぞれの運転を総括して管理するための総括運転管理装置２を備えている。
【００２４】
この総括運転管理装置２は、図１に示すように、総括運転管理用の総括計算機（以下、総括コンピュータと記載する）３を有している。
【００２５】
この総括コンピュータ３は、発電プラントＰの複数の発電ユニットＹＡ１〜ＹＡ３、ＹＢ１〜ＹＢ２およびＹＣ１〜ＹＣ２を総括して監視する処理を行なうためのＣＰＵ１０と、このＣＰＵ１０の処理に係るプログラムやデータを記憶するための磁気記憶媒体や半導体メモリ等の記憶媒体としてのメモリ１１と、ＣＰＵ１０の処理により監視用画面等の画面を表示するためのモニタ、ディスプレイ等の表示装置１２と、この表示装置１２の例えば表示画面を介した運転員（オペレータともいう）の操作入力により、ＣＰＵ１０に対して所定の監視画面の表示要求等の情報を入力可能なマウス、キーボード等を含む入力装置１３とを備えている。
【００２６】
ＣＰＵ１０は、その処理機能として、プラント運転中の各発電所（Ａ発電所〜Ｃ発電所）の各発電ユニット（ＹＡ１〜ＹＡ３、ＹＢ１〜ＹＢ２、ＹＣ１〜ＹＣ２）からデータ通信部５により順次収集された運転中の各発電ユニット（ＹＡ１〜ＹＡ３、ＹＢ１〜ＹＢ２、ＹＣ１〜ＹＣ２）の例えば主要な監視項目に対応するパラメータデータ｛例えば、各発電ユニットの発電機出力、タービン入口側主蒸気温度（ａ温度；単位：℃）、タービン出口側主蒸気温度（ｂ温度；単位：℃）、蒸気圧力（ｃ圧力；単位：ＭＰａ）、蒸気流量（ｄ流量；単位：ｔ／ｈ）の主要な５監視項目の各パラメータ値（状態値）に対応するディジタル型のパラメータデータ｝を入力し、入力したパラメータデータをメモリ１１のデータ記憶部（記憶ファイル）Ｍ１に各発電所および各ユニット毎に順次記憶するパラメータデータ入力部１５を備えている。
【００２７】
メモリ１１は、発電プラントＰにおける各発電所（Ａ発電所〜Ｃ発電所）の各発電ユニット（ＹＡ１〜ＹＡ３、ＹＢ１〜ＹＢ２、ＹＣ１〜ＹＣ２）を監視するための、例えば全発電所の全発電ユニットの発電機出力を監視するための画面情報（全発電所総括監視用画面情報）、所定の発電所の全発電ユニットにおける主要監視項目｛例えば、５項目（発電機出力、ａ温度、ｂ温度、ｃ圧力、ｄ流量）｝に対応するパラメータ値を総括監視するための画面情報（主要項目総括監視用画面情報）等、発電プラントＰの運転・監視制御に係る全ての監視用画面を構成する全てのフォーマット情報（画面情報）を予め記憶する画面情報記憶部（記憶ファイル）Ｍ２と、複数のパラメータデータをそれぞれ無次元化、すなわち、複数のパラメータデータをその特性および状態に無影響なデータに変換するための基準となる無次元化基準データ（無次元化基準情報）を記憶する基準データ記憶部（記憶ファイル）Ｍ３とを備えている。
【００２８】
さらに、ＣＰＵ１０は、その処理機能として、オペレータから入力装置１３を介して入力された所定の監視画面表示要求情報を入力する要求情報入力部２０と、データ記憶部Ｍ１に記憶された現在のプラント状態（複数の発電ユニット状態）を表す複数のパラメータデータ値（現在値）を、基準データ記憶部Ｍ３に記憶された対応する複数の無次元化基準データを用いて加工して複数の無次元化表示データを生成するための表示データ加工部２１と、要求情報入力部２０により入力された所定の監視画面表示要求に対応する画面情報を画面情報記憶部Ｍ２から読み出し、データ記憶部Ｍ１に記憶された実単位の複数のパラメータデータ値、あるいは表示データ加工部２１により生成された複数の無次元化表示データ値を、読み出した画面情報に重畳することにより、オペレータの表示要求情報に対応する監視画面データを作成する監視画面データ作成部２２と、作成された監視画面データを表示装置１２に出力する出力部２３とを備えている。
【００２９】
図２は、メモリ１１の基準データ記憶部Ｍ３に各発電所の各発電ユニット毎に記憶された各発電ユニット（Ａ発電所→１号機〜３号機、Ｂ発電所→１号機〜２号機、Ｃ発電所→１号機〜２号機）の各発電機出力値に対応する無次元化基準データ（無次元化基準情報）の一例を示す図である。
【００３０】
本実施形態において、各発電ユニットの各発電機出力値に対応する無次元化基準データ値は、各発電機出力の定格値である。
【００３１】
ここで、発電機出力の定格とは次のように定義される。
【００３２】
例えば、Ａ発電所１号発電ユニットＹＡ１（１号機）の場合、定格最高出力値は７００ＭＷであるため、この１号機の定格発電機出力とは、Ａ発電所１号機が０ＭＷ（最低出力：０％）〜７００ＭＷ（最高出力：１００％）までの範囲で発電が可能であることを示すものである。
【００３３】
このように、あるパラメータ値の定格値とは、そのパラメータ値の０％の値と１００％の値として定義される。
【００３４】
例えば、図２に示すように、Ａ発電所の各発電ユニット１号機〜３号機の定格発電機出力として、０％の値は１〜３号機全て０．０ＭＷであり、１００％の値は、それぞれ、１号機が７００．０ＭＷ、２号機が７００．０ＭＷ、３号機が１０００．０ＭＷである。
【００３５】
また、図３は、メモリ１１のデータ記憶部Ｍ１に各発電所の各発電ユニット毎に記憶された各発電ユニットの現在の発電機出力値（現在値）を示す図である。
【００３６】
次に、本実施形態の発電プラント監視システムの全体の処理について、説明する。
【００３７】
最初に、従来で説明した実単位系の全発電所総括監視用画面を表示装置１２に表示する処理について説明する。
【００３８】
全発電所（Ａ発電所、Ｂ発電所、Ｃ発電所）の全発電ユニットの発電機出力を実単位系で総括的に監視したいオペレータは、入力装置１３を操作して全発電所総括監視用画面の実単位系表示要求情報を総括コンピュータ３のＣＰＵ１０に入力する。
【００３９】
このとき、ＣＰＵ１０の要求情報入力部２０は、入力された全発電所総括監視用画面の実単位系表示要求情報を監視画面データ作成部２２に送り、監視画面データ作成部２２は、送られた表示要求情報に対応する全発電所総括監視用画面情報をメモリ１１の画面情報記憶部Ｍ２から読み出す。
【００４０】
次いで、ＣＰＵ１０の監視画面データ作成部２２は、メモリ１１のデータ記憶部Ｍ１に記憶されている複数の発電ユニットの主要な監視項目に対応する現在のパラメータデータ値から、それら複数の発電ユニットの発電機出力値、すなわち、現在の全ての発電ユニットの発電機出力値を読み出し、読み出した現在の全ての発電ユニットの発電機出力値を全発電所総括監視用画面情報の所定位置に重畳して、表示要求情報に対応する全発電所総括監視用画面データを作成する。
【００４１】
そして、ＣＰＵ１０の監視画面データ作成部２２は、作成した全発電所総括監視用画面データを出力部２３を介して表示装置１２に出力する。
【００４２】
この結果、表示装置１２には、図２４に示すように、全ての発電所（発電所Ａ〜発電所Ｃ）の全ての発電ユニット｛１号発電ユニットＹＡ１（♯１）〜３号発電ユニットＹＡ３（♯３）、１号発電ユニットＹＢ１（♯１）〜２号発電ユニットＹＢ２（♯２）、１号発電ユニットＹＣ１（♯１）〜２号発電ユニットＹＣ２（♯２）｝の実単位系の発電機出力値を含む全発電所総括監視用画面Ｉ１が表示される。
【００４３】
オペレータは、全発電所総括監視用画面Ｉ１を監視することにより、Ａ発電所における１号発電ユニットＹＡ１（♯１）の現在の発電機出力値３５１．４ＭＷ、２号発電ユニットＹＡ２（♯２）の現在の発電機出力値７００．０ＭＷ、３号発電ユニットＹＡ３（♯３）の現在の発電機出力値７００．０ＭＷを総括的に把握することができる。
【００４４】
ここで、発電機出力総括監視用画面Ｉ１における各発電ユニットの実単位系の発電機出力値以外の情報は画面情報記憶部Ｍ２に記憶された発電機出力総括監視用画面Ｉ１に対応する発電機出力総括監視用画面情報（画面フォーマット情報）であり、したがって、データ通信部５から現在の各ユニットのパラメータデータ値が順次総括計算機３のＣＰＵ１０に入力される毎に、発電機出力総括監視用画面Ｉ１上では、その画面フォーマット情報以外の入力パラメータデータ値における実単位系の発電機出力値が順次更新されることになる。
【００４５】
続いて、図２４に示した実単位系の全発電所総括監視用画面Ｉ１を無次元系で表示装置１２に表示する処理について説明する。
【００４６】
実単位系の場合と同様に、オペレータは、入力装置１３を操作して全発電所総括監視用画面の無次元系表示要求情報を総括コンピュータ３のＣＰＵ１０に入力する。
【００４７】
このとき、ＣＰＵ１０（その各処理機能）は、メモリ１１に記憶されたプログラムに従って、図４に示す処理を行なう。
【００４８】
すなわち、ＣＰＵ１０の要求情報入力部２０は、入力された全発電所総括監視用画面の無次元系表示要求情報を監視画面データ作成部２２に送り（ステップＳ１）、監視画面データ作成部２２は、送られた表示要求情報に対応する全発電所総括監視用画面情報をメモリ１１の画面情報記憶部Ｍ２から読み出す（ステップＳ２）。
【００４９】
次いで、ＣＰＵ１０の表示データ加工部２１は、メモリ１１のデータ記憶部Ｍ１から複数の発電所における複数の発電ユニットの発電機出力値をそれぞれ読み出し（ステップＳ３）、さらに、メモリ１１の基準データ記憶部Ｍ３に記憶された複数の発電ユニットの複数の発電機出力値に対応する無次元化基準データ値、すなわち、複数の発電所における複数の発電ユニットの発電機出力の定格値をそれぞれ読み出す（ステップＳ４）。
【００５０】
続いて、ＣＰＵ１０の表示データ加工部２１は、読み出した複数の発電ユニットの複数の発電機出力値に対応する無次元化基準データ値（複数の発電機出力の定格値）に基づいて、複数の発電ユニットの発電機出力値（現在値）を無次元化して、当該複数の発電ユニットの特性および状態の違いに影響されないデータ値を生成し、生成したデータ値を監視画面データ作成部２２に送る（ステップＳ５）。
【００５１】
ここで、Ａ発電所の１号機（１号発電ユニットＹＡ１）を例にとり、表示データ加工部２１のステップＳ５の処理、すなわち、Ａ発電所の１号発電ユニットＹＡ１の現在の発電機出力値（現在値）３５１．４ＭＷを無次元化して無次元化データ値に加工する処理を図５および図６を用いて説明する。
【００５２】
まず、Ａ発電所１号機の発電機出力に対応する無次元化基準情報は、図２に示すように、定格値｛０％＝０．０ＭＷ、１００％＝７００．０ＭＷ｝である。
【００５３】
このとき、横軸を発電機出力（ＭＷ）、縦軸を無次元化（％）として、０．０ＭＷの時に０％、７００．０ＭＷの時に１００％となるようなグラフを書くと図５に示すようになる。
【００５４】
ここで、０％に対応する発電機出力値、すなわち０．０ＭＷをＬ、１００％に対応する発電機出力値、すなわち７００．０ＭＷをＨとすると、任意の発電機出力値ｘ（ＭＷ）を、無次元化基準情報により求められたＬおよびＨに基づいて無次元化した値ｙ（％）は、以下の式で求められる。
【００５５】
【数１】
0004034495.tif 000002
【００５６】
すなわち、ＣＰＵ１０の表示データ加工部２１は、発電所１号機の発電機出力に対応する無次元化基準情報である定格値｛０％＝０．０ＭＷ、１００％＝７００．０ＭＷ｝に基づいて、上記ＬおよびＨを求め、求めたＬ、Ｈから成る式１に発電所１号機の発電機出力値ｘ（図３に示すように、３５１．４ＭＷ）を代入することにより、Ａ発電所１号機の現在の発電機出力値に対応する無次元化されたデータ値ｙとして、そのユニット（１号機）の定格値（１００％の出力値）に対する現在値の割合を表す値（無次元表示データ値；５０．２％）を求める。
【００５７】
このように、図２に示す複数の発電所Ａ〜発電所Ｃの複数の発電ユニット（ＹＡ２〜ＹＡ３、ＹＢ１〜ＹＢ２、ＹＣ１〜ＹＣ２）の発電機出力に対応する無次元化基準情報に基づいて、図３に示す複数の発電所Ａ〜発電所Ｃの複数の発電ユニット（ＹＡ２〜ＹＡ３、ＹＢ１〜ＹＢ２、ＹＣ１〜ＹＣ２）の現在値をそれぞれ無次元化して表示データ値（無次元表示データ値）を生成し、生成した無次元表示データ値をメモリ１１に記憶する（図６参照）。
【００５８】
このようにして、表示データ加工部２１により、複数の発電ユニットの複数の発電機出力値に対応する無次元表示データ値がそれぞれ求められて監視画面データ作成部２２に送られると、監視用画面データ作成部２２は、送られてきた複数の発電ユニットの複数の発電機出力値に対応する無次元表示データ値を、ステップＳ２の処理で読み出した全発電所総括監視用画面情報の所定位置に重畳して、表示要求情報、すなわち、全発電所総括監視用画面の無次元系表示要求情報に対応する全発電所総括監視用画面データを作成する（ステップＳ６）。
【００５９】
そして、ＣＰＵ１０の監視画面データ作成部２２は、作成した全発電所総括監視用画面データを出力部２３を介して表示装置１２に出力する（ステップＳ７）。
【００６０】
この結果、表示装置１２には、図７に示すように、全ての発電所（Ａ発電所〜Ｃ発電所）の全ての発電ユニット｛Ａ発電所→１号機（♯１）〜３号機（♯３）、Ｂ発電所→１号機（♯１）〜２号機（♯２）、Ｃ発電所→１号機（♯１）〜２号機（♯２）｝の現在の発電機出力値に対応する無次元表示データ値を含む全発電所総括監視用画面Ｉ１０が表示される。
【００６１】
したがって、オペレータは、図７に示す全発電所総括監視用画面Ｉ１０を監視することにより、各発電所における各発電ユニットの１００％の発電容量（定格容量）に対して、各ユニットがどれくらいの割合で発電を行なっているかを、非常に容易かつ迅速に確認することができる。
【００６２】
すなわち、複数の発電所の発電ユニットを総括して運転監視する場合において、図２４に示す実単位系の監視用画面を監視する際には、オペレータは、各発電ユニットの単機発電容量（定格容量）がどれくらいであるかを各々意識しながら、各発電ユニットの特性および状態に応じて監視用画面を見る必要がある。
【００６３】
しかしながら、複数の発電所の発電ユニットを総括して運転監視する場合において、図７に示すように、全発電ユニットを通して無次元化基準情報に基づいて無次元化した監視用画面を監視する際には、オペレータは、各発電ユニットの単機発電容量等の各発電ユニット特有の状態および特性を意識することなく、通常の運転監視を行なうことができる。
【００６４】
また、オペレータの入力装置１３からの要求情報により、例えば、図２５に示す各発電所（図２５ではＡ発電所）毎の発電ユニット１号機〜３号機の主要な監視項目に対応するパラメータデータ値を総括的に監視する主要項目総括監視用画面Ｉ２を無次元系で表示装置１２に表示する処理を行なう際には、予めメモリ１１の基準データ記憶部Ｍ３には、各発電ユニットの主要監視項目のパラメータデータ値（発電機出力、ａ温度、ｂ温度、ｃ圧力、ｄ流量）に対応する無次元化基準データ（無次元化基準情報）が記憶されている。
【００６５】
すなわち、Ａ発電所の各発電ユニット１号機〜３号機それぞれの主要な５監視項目のパラメータデータ値（発電機出力、ａ温度、ｂ温度、ｃ圧力、ｄ流量）に対応して、図８に示すように、それぞれのパラメータデータ値の定格値が無次元基準データ値としてメモリ１１の基準データ記憶部Ｍ３に格納されている。
【００６６】
ここで、ａ温度、ｂ温度、ｃ圧力、ｄ流量の定格値とは、発電機出力の定格値と同様に、それぞれの０％の値および１００％の値である。
【００６７】
すなわち、Ａ発電所の各発電ユニット１号機〜３号機の主要５監視項目の現在のパラメータデータ値（現在値）が例えば図９に示す値としてメモリ１１のデータ記憶部Ｍ１に記憶されているとすると、ＣＰＵ１０の表示データ加工部２１は、データ記憶部Ｍ１から読み出した、Ａ発電所の発電ユニット１号機〜３号機の複数のパラメータデータの現在値に対応する無次元化基準データ値（複数のパラメータデータ値の定格値）に基づいて、上記式１に基づく処理と同様の処理を行なうことにより、発電ユニット１号機〜３号機の複数のパラメータデータ（発電機出力、ａ温度、ｂ温度、ｃ圧力、ｄ流量）の現在値を無次元化して、当該複数の発電ユニットの特性および状態の違いに影響されない（非依存な）無次元表示データ値として、対応する定格（１００％）出力値に対する現在値の割合（％）を生成してメモリ１１に記憶し（図１０参照）、さらに、生成した無次元表示データ値を監視画面データ作成部２２に送る（図４；ステップＳ１〜Ｓ５参照）。
【００６８】
そして、監視用画面データ作成部２２は、送られてきた発電ユニット１号機〜３号機の複数のパラメータデータの現在値に対応する無次元表示データ値を、主要項目総括監視用画面情報の所定位置に重畳して、表示要求情報、すなわち、主要項目総括監視用画面の無次元系表示要求情報に対応する主要項目総括監視用画面データを作成し（ステップＳ６参照）、作成した主要項目総括監視用画面データを出力部２３を介して表示装置１２に出力する（ステップＳ７参照）。
【００６９】
この結果、表示装置１２には、図１１に示すように、Ａ発電所の全ての発電ユニット１号機〜３号機における主要監視項目の現在のパラメータデータ値（発電機出力、ａ温度、ｂ温度、ｃ圧力、ｄ流量）に対応する無次元表示データ値を含む主要項目総括監視用画面Ｉ１１が表示される。
【００７０】
したがって、オペレータは、図１１に示す主要項目総括監視用画面Ｉ１１を監視することにより、Ａ発電所の各発電ユニットにおける主要監視項目のパラメータデータ値の定格値に対する割合を非常に容易かつ迅速に確認することができるため、各発電ユニット特有の状態および特性を意識することなく、主要監視項目のパラメータデータ値の状態を監視することができる。
【００７１】
（第２の実施の形態）
図１２は、本実施形態に係る発電プラント監視システム４０の概略構成を示すブロック図である。
【００７２】
図４０に示すように、発電プラント監視システム４０における総括運転管理装置２の統括コンピュータ３は、図１２に示すようにメモリ４１を有しており、このメモリ４１は、第１実施形態と同様のデータ記憶部Ｍ１および画面情報記憶部Ｍ２に加えて、複数のパラメータデータをそれぞれ無次元化するための基準となる無次元化基準データ（無次元化基準情報）を、対応する発電ユニットの運転状態に応じて複数個、すなわち、無次元化基準データ群として記憶する基準データ群記憶部Ｍ１０を備えている。
【００７３】
図１３は、メモリ４１の基準データ群記憶部Ｍ１０に各発電所の各発電ユニット毎に記憶された各発電ユニット（Ａ発電所→１号機〜３号機、Ｂ発電所→１号機〜２号機、Ｃ発電所→１号機〜２号機）の各パラメータデータの現在値に対応する無次元化基準データ群（無次元化基準情報群）の一例を示す図である。
【００７４】
図１３に示すように、本実施形態では、各パラメータデータの現在値に対応する無時限化基準データ群として、その各パラメータデータ値の定格値および対応する発電ユニットの発電機出力域に対応する定常値集合が用いられている。
【００７５】
例えば、Ａ発電所（発電ユニット１号機〜３号機）、Ｂ発電所（発電ユニット１号機〜２号機）およびＣ発電所の発電ユニット１号機では、発電機出力１００％域（＝Ｃ３）、出力５０％域＝Ｃ２）および出力３０％域＝Ｃ１）を定常的な運転状態（定常状態）として定義し、各発電ユニットの各パラメータデータにおいて、発電機出力１００％域、５０％域、３０％域の各運転状態（定常状態）に対応した各パラメータデータの値（％）を定常値と定めており、これら各定常状態（発電機出力１００％域、５０％域、３０％域）に対応する各パラメータデータの定常値が無次元化基準情報群として基準データ群記憶部Ｍ１０に記憶されている。
【００７６】
例えば、Ａ発電所１号機の発電機出力１００％におけるａ温度の定常値は、発電機出力１００％でのａ温度値の１００％の値（定格値；５３８．０℃）に対する割合で設定される。
【００７７】
また、本実施形態におけるＣＰＵ４２は、その処理機能として、図１２に示すように、基準データ選択部４５を備えている。
【００７８】
この基準データ選択部４５は、各発電ユニットが定常状態にあるか否かを、その各発電ユニットの現在の発電機出力に基づいて判断するようになっている。
【００７９】
すなわち、基準データ選択部４５は、例えば、Ａ発電所の発電ユニット１号機の定常状態判断を行なう際には、図１４に示すように、発電機出力１００％域の定常状態Ｃ３としては、発電機出力が７００±５ＭＷの範囲内であるか否かを判断基準とし、発電機出力が７００±５ＭＷの範囲内にある場合に定常状態と判断する。
【００８０】
同様に、基準データ選択部４５は、判断基準として、発電機出力が３５０±５ＭＷの範囲内にあるか否かで判断し、範囲内にある場合には、発電機出力５０％域Ｃ２であると判断し、発電機出力が２１０−０ＭＷ〜２１０＋１０ＭＷの範囲内であるか否かを基準とし、範囲内にある場合には、電機出力３０％域Ｃ１と判断する。
【００８１】
そして、基準データ選択部４５は、各定常状態の範囲内に発電機出力が入っている場合には、該当する発電機出力域の定常状態であると判断し、その発電機出力域に対応する各パラメータデータの定常値および定格値を無次元化基準情報として基準データ群記憶部Ｍ１０から読み出して表示データ加工部４６に送り、また、各定常状態の範囲外に発電機出力がある場合には、発電機出力は定常状態ではないと判断し、第１実施形態と同様に、各パラメータデータに対応する定格値のみを無次元化基準情報として表示データ加工部４６に送るようになっている。
【００８２】
そして、ＣＰＵ４２の表示データ加工部４６は、基準データ選択部４５から各発電ユニットにおける各パラメータデータの定常値および定格値が送信された際には、現在の発電機出力が定常状態であると判断し、各パラメータデータの現在値に対応する定格値に基づいて無次元データ値を求める。そして、表示データ加工部４６は、求めた無次元データ値から定常値を減算し、得られた値、すなわち、各パラメータデータの現在値に対応する無次元データ値の定常値からのズレおよび各パラメータデータの定常値を用いて、無次元表示データ値を生成し、生成した無次元表示データ値を監視画面データ作成部２２に送るようになっている。
【００８３】
なお、その他の構成要素については、前掲図１に示した発電プラント監視システム１の構成要素と略同等であるため、同一の符号を付してその説明は省略する。
【００８４】
すなわち、本実施形態では、無次元系の全発電所総括監視用画面を表示する際において、ステップＳ１〜Ｓ３の処理後、ＣＰＵ４２の基準データ選択部４５は、読取った各発電ユニットの現在の発電機出力が定常状態であるか否か判断する（図１５；ステップＳ１０）。
【００８５】
例えば、Ａ発電所１号機の場合、その１号機の現在の発電機出力値は３５１．４ＭＷであり、３５０±５ＭＷの範囲内にあることから、上記ステップＳ１０の判断はＹＥＳ、すなわち、発電機出力５０％域の定常状態Ｃ２であると判断し、基準データ選択部４５は、発電機出力の無次元化基準情報として、発電機出力５０％域Ｃ２における定常値５０．０％を基準データ群記憶部Ｍ１０から読みして表示データ加工部４６に送る（ステップＳ１１）。
【００８６】
このとき、ＣＰＵ４２の表示データ加工部４６は、Ａ発電所１号機の現在の発電機出力値３５１．４ＭＷを定格値に基づいて無次元化し、Ａ発電所１号機の発電機出力３５１．４ＭＷに対応する無次元データ値５０．２％を求める（ステップＳ１２）。
【００８７】
次いで、表示データ加工部４６は、求めた無次元データ値５０．２％から定常値５０．０％を減算し、得られた値（＋０．２％）、すなわち、発電機出力の現在値に対応する無次元データ値５０．２％の定常値５０．０％からの偏差（＋０．２％、なお、偏差の符号“＋”は、偏差のズレ方向、すなわち、定常値よりも現在値が上昇（＋）していることを表しており、したがって、偏差の符号“−”は、偏差のズレ方向、すなわち、定常値よりも現在値が下降（−）していることを表している）および発電機出力の定常値５０．０％に基づき、５０．０％を第１項、を、＋０．２％を第２項として加算して、式形式
【数２】
５０．０％＋０．２        ……（式２）
の無次元表示データ値を生成し（ステップＳ１３）、生成した無次元表示データ値（５０．０％＋０．２）を監視画面データ作成部２２に送る（ステップＳ１４）。
【００８８】
一方、例えば、Ａ発電所３号機の場合、その３号機の現在の発電機出力値は７００．０ＭＷであり、この値は無次元表示データに換算すれば７０％となり、Ａ発電所３号機の発電機出力の定常状態域｛１００％域（Ｃ３）、５０％域（Ｃ２）、３０％域（Ｃ１）｝の何れの定常状態域の範囲からも逸脱しているため、上記ステップＳ１０の判断はＮＯとなり、基準データ選択部４５は、発電機出力の無次元化基準情報として、定格値を読み出して表示データ加工部４６に送る（ステップＳ１５）。
【００８９】
このとき、ＣＰＵ４２の表示データ加工部４６は、Ａ発電所３号機の現在の発電機出力値７００．０ＭＷを定格値に基づいて無次元化し、Ａ発電所３号機の発電機出力７００．０ＭＷに対応する無次元表示データ値７０．０％を生成して（ステップＳ１６）、監視画面データ作成部２２に送る（ステップＳ１７）。
【００９０】
このようにして、表示データ加工部４６により、全ての発電ユニットの全ての発電機出力値に対応する無次元表示データ値がそれぞれ求められて監視画面データ作成部２２に送られると、監視用画面データ作成部２２は、送られてきた複数の発電ユニットの複数の発電機出力現在値に対応する無次元表示データ値をステップＳ２の処理で読み出した全発電所総括監視用画面情報の所定位置に重畳して全発電所総括監視用画面データを作成し（ステップＳ６参照）、ＣＰＵ１０の監視画面データ作成部２２は、作成した全発電所総括監視用画面データを出力部２３を介して表示装置１２に出力する（ステップＳ７参照）。
【００９１】
この結果、表示装置１２には、図１６に示すように、Ａ発電所〜Ｃ発電所の全ての発電ユニット｛Ａ発電所→１号機（♯１）〜３号機（♯３）、Ｂ発電所→１号機（♯１）〜２号機（♯２）、Ｃ発電所→１号機（♯１）〜２号機（♯２）｝の現在の発電機出力値に対応する無次元表示データ値を含む全発電所総括監視用画面Ｉ２０が表示される。
【００９２】
この全発電所総括監視用画面Ｉ２０において、オペレータは、例えばＡ発電所の１号機（♯１）の無次元表示データ値（５０・０％＋０．２）を見ることにより、Ａ発電所の１号機は定常状態にあり、かつ現在の発電機出力が定常状態から＋０．２％ずれた状態であることを簡単かつ確実に認識することができる。
【００９３】
一方、全発電所総括監視用画面Ｉ２０において、オペレータは、例えばＡ発電所の３号機（♯３）の無次元表示データ値に対応する値（７０・０％）を見ることにより、偏差がないことを即座に認識し、Ａ発電所の３号機（♯３）は定常状態に無いことを容易かつ確実に把握することができる。
【００９４】
すなわち、図１６に示す全発電所総括監視用画面Ｉ２０をオペレータが見ることにより、オペレータは、Ａ発電所３号機およびＣ発電所の２号機以外の発電ユニットが定常状態に入っていることを容易に認識することができる。
【００９５】
同様に、本実施形態において、無次元系の主要項目総括監視用画面を表示する際でも、ステップＳ１〜Ｓ３の処理後、ＣＰＵ４２の基準データ選択部４５は、読取った各発電ユニットの現在の発電機出力が定常状態であるか否か判断する（ステップＳ１０参照）。
【００９６】
上述したように、例えば、Ａ発電所１号機→定常状態、Ａ発電所３号機→非定常状態であるため、ＣＰＵ４２（基準データ選択部４５、表示データ加工部４６）のステップＳ１１〜Ｓ１７の処理およびステップＳ６〜Ｓ７の処理により、表示装置１２には、図１７に示すように、Ａ発電所の１号機（♯１）のａ温度の無限表示データ値および３号機（♯３）のａ温度の無限表示データ値がそれぞれ下式のように求められた主要項目総括監視用画面Ｉ２１が表示される。
【００９７】
【数３】
0004034495.tif 000003
【００９８】
上述したように、Ａ発電所１号機の場合は、現在の発電機出力が３５１．４ＭＷであり、発電機出力５０％域Ｃ２の定常状態にあり、Ａ発電所１号機のａ温度の現在値は、図１３によれば４５４．６℃であり、このａ温度の現在値を定格値による無次元化基準情報（０％＝１０．０℃、１００％＝５３８．０℃）を用いて無次元化処理すると、８４．２％となる。
【００９９】
一方、発電機出力５０％域Ｃ２（定常状態）におけるａ温度の無次元化基準情報は、図１３に示すとおり８５．４％であり、したがって、式４に示すように、Ａ発電所の１号機のａ温度（現在値）の定常状態からの偏差は−１．２であり、Ａ発電所の１号機のａ温度（現在値）が定常状態から−１．２％ずれた状態であることを簡単かつ確実に認識することができる。
【０１００】
また、Ａ発電所３号機は、現在の発電機出力が７００．０ＭＷで、定格値の７０％であり定常状態の領域ではない。このため、Ａ発電所３号機におけるａ温度の表示は、現在のａ温度５１０．４℃を定格値による無次元化基準情報（０％＝１０．０℃、１００％＝５６６．０℃）を用いて無次元化処理した結果である無次元表示データ９０．０％がそのまま式５として表示されることになる。
【０１０１】
すなわち、表示装置１２に表示された図１７に示す主要項目監視用画面Ｉ２１を観察したオペレータは、Ａ発電所の発電ユニット（１号機および２号機）がそれぞれ定常運転中であり、３号機のみ非定常状態で運転していることを非常に容易に認識することができ、また、ハーフロード（５０％出力）で定常運転中の１号機および、フルロード（１００％出力）で定常運転中の発電ユニット（１、２号ユニット）においては、１号機のａ温度が定常値より１．２％低くなっており、また、２号機ではｂ温度が定常値より３．０％高くなっていることを容易に理解することができ、また、その偏差は、他の監視項目の定常状態からの偏差と比較しても、比較的乖離の大きい項目であることがわかる。
【０１０２】
このように、定常状態にある発電ユニットにおいては、運転状態に応じた無次元化基準データを用いて無次元化表示を行うことにより、定常運転状態と現在の運転状態の偏差の程度を容易に確認することができ、また、複数の発電所や複数のユニットを総括して管理する総括運転管理装置２において、通常の運転状態からの偏差（ズレ）の大きな項目にいち早く注目し、詳細な情報収集や適切な対処をすみやかに行なうことができる。
【０１０３】
（第３の実施の形態）
図１８は、本実施形態に係る発電プラント監視システム５０の概略構成を示すブロック図である。
【０１０４】
上述した第１および第２の実施形態では、無次元化基準情報を予め作成してメモリに格納しておいたが、本実施形態では、総括計算機３自体により自動的に作成・更新することも可能である。
【０１０５】
すなわち、図１８に示す発電プラント監視システム５０における総括計算機３のＣＰＵ５１は、履歴データ収集部５２を有しており、この履歴データ収集部５２は、基準群データ記憶部Ｍ１０に必要な各種無次元化基準データの運転状態条件を常時監視しており、運転状態条件が成立したタイミングにて、データ通信部５により収集・保持されている主要な監視項目に対応するパラメータデータの現在値（現在値データ）を読み出し、履歴データとしてメモリ５３における履歴データ記憶部Ｍ２０に格納するようになっている。
【０１０６】
また、ＣＰＵ５１は、基準データ生成部５５を有しており、この基準データ生成部５５は、履歴データ記憶部Ｍ２０に対して無次元化基準データ作成用の履歴データが十分に格納された状態において、そのデータを読み出し、各発電ユニットの運転状態における履歴データの平均値を用いて、必要に応じて、基準データ群記憶部Ｍ１０に記憶されている無次元化基準データにおける定常値の修正を行なうようになっている。
【０１０７】
例えば、Ａ発電所１号機の発電機出力１００％域Ｃ３について着目すると、履歴データ収集部５２は、対応する発電ユニット（１号機）の状態（プラント状態）１号機の発電機の発電出力値に応じて監視しており、その監視の結果、発電機出力１００％域Ｃ３、すなわち、Ａ発電所１号機の発電機出力が７００±５ＭＷの状態に到達した際に、その到達タイミングに応じて、データ通信部５に保持されたＡ発電所１号機に関するパラメータデータを定期的に収集して履歴データ記憶部Ｍ２０に格納する。
【０１０８】
本実施形態では、履歴データ収集部５２が収集し履歴データ記憶部Ｍ２０に格納された履歴データ（主要監視項目のパラメータデータ）が図１９に示すように、１０回分収集できた場合について説明する。
【０１０９】
例えば履歴データが１０回分履歴データ記憶部Ｍ２０に格納された際に、その格納タイミングで基準データ生成部５５に無次元化基準データの見直し処理を行なわせるためのプログラムをメモリ１１に予め格納しておけば、ＣＰＵ５１の基準データ生成部５５は、メモリ１１に格納された見直し処理用プログラムに従って動作して、履歴データ記録部Ｍ１０から図１９に示す１０回分の履歴データを引き出し、各１０回分のパラメータ毎に平均値を算出する（図２０；ステップＳ２０）。
【０１１０】
次いで、基準データ生成部５５は、図１３に示す運転状態に応じた無次元化基準情報の内、例えばＡ発電所１号機の発電機出力１００％域Ｃ３の無次元化基準情報（データ）である例えば定常値の見直し処理を行なう。
【０１１１】
すなわち、基準データ生成部５５は、旧無次元化基準データ値（旧基準値）およびステップＳ２０で算出した平均値を用いて、下式５に示す計算式に基づいて新無次元化基準データ値（新基準値）を算出する（ステップＳ２１）。
【０１１２】
【数４】
0004034495.tif 000004
【０１１３】
式５において、重み係数とは、基準値見直しのために加える履歴データの平均値に対する旧基準値の影響の大きさを表す係数で、本実施形態では、履歴データのデータ数＝１０に対し、重み係数＝１００とする。すなわち、旧基準値は、履歴データの平均値に対して１０倍の影響力を持つことになる。式５に従い、図１９に示す各項目（ａ温度、ｂ温度、ｃ圧力、ｄ流量）のパラメータデータに対して、基準値の見直しを行なうと下記のとおりとなる。
【０１１４】
【数５】
0004034495.tif 000005
【０１１５】
式６〜９の算出結果を見ると、式７に示すｂ温度基準値のみ、新基準値の計算結果が旧基準値と異なっている。したがって、図１９の履歴データを用いた基準値の見直しにおいては、基準データ生成部５５は、ｂ温度の基準値のみ若干の見直しを行ない、見直しされた新基準値（新定常値）に基づいて、基準データ群記憶部Ｍ１０に格納されている新基準値に対応する旧基準値（旧定常値）をその新基準値に更新する（ステップＳ２２）。
【０１１６】
なお、その他の構成要素および動作については、第２実施形態と同様であるため、その説明は省略する。
【０１１７】
すなわち、本実施形態によれば、基準データ群記憶部Ｍ１０に格納されている運転状態に応じた無次元化基準情報である定常値データは、発電プラントＰが運用されている限り自動的に見直しが行なわれ、経年劣化などにより定常状態の特性が徐々に変化して行くような場合にも、運転状態に応じた無次元化基準情報を、見直しデータ値を外部から設定し直すことなく発電プラントＰの特性に追従させることができる。
【０１１８】
（第４の実施の形態）
図２１は、本実施形態に係る発電プラント監視システム６０の概略構成を示すブロック図である。
【０１１９】
図２１に示す発電プラント監視システム６０の総括計算機３におけるＣＰＵ６１は、図１に示す機能構成に加えて、データ記憶部Ｍ１に記憶された実単位の複数のパラメータデータ値および表示データ加工部２１により生成された複数の無次元化表示データ値をそれぞれ取り込み、取り込んだ実単位の複数のパラメータデータ値および複数の無次元化表示データ値の内の何れかを切換可能に監視画面データ作成部２２に渡すための表示データ切換部６１を備えている。なお、その他の構成については、図１に示す発電プラント監視システム１と同一であるため、その説明を省略する。
【０１２０】
すなわち、本実施形態においては、表示データ切換部６１は、オペレータから入力装置１３を介して実単位系の監視画面表示要求情報が送信された場合には、データ記憶部Ｍ１から実単位の複数のパラメータデータ値を取り込んで監視画面データ作成部２２に渡し、オペレータから入力装置１３を介して無次元系の監視画面表示要求情報が送信された場合には、表示データ加工部２１で生成された複数の無次元化表示データ値を監視画面データ作成部２２に渡すようになっている。
【０１２１】
したがって、例えば、オペレータが実単位系の総括監視用画面の要求情報を入力装置１３を介して入力した場合には、図２４に示す実単位系の全発電所総括監視用画面Ｉ１が表示装置１２に表示され、オペレータが、無次元系の総括監視用画面の要求情報を入力装置１３を介して入力した場合には、図７に示す無次元系の総括監視用画面Ｉ１０が表示装置１２に表示される。
【０１２２】
同様に、オペレータが実単位系の主要項目総括監視用画面の要求情報を入力装置１３を介して入力した場合には、図２４に示す実単位系の主要項目総括監視用画面Ｉ２が表示装置１２に表示され、オペレータが、無次元系の主要項目総括監視用画面の要求情報を入力装置１３を介して入力した場合には、図８に示す無次元系の主要項目総括監視用画面Ｉ１１が表示装置１２に表示される。
【０１２３】
この結果、複数の発電所あるいは複数の発電ユニットの状態を総括的かつ並列的に表示して比較監視したい場合等は、無次元化形式の監視画面にて各発電ユニットの特徴に依存しない無次元表示データにて各発電ユニットの状態を表示することができ、また、各発電ユニットの状態を詳しく解析する場合においては、各発電ユニットのプラント状態を実単位形式にて表示することができるため、発電プラント監視効率を向上させることができる。
【０１２４】
なお、上述した各実施形態においては、図１に示す表示データ加工部２１および基準データ記憶部Ｍ３は、必ずしも総括計算機３内に存在する必要はなく、各発電ユニット毎の監視項目に対して、各発電ユニット側で無次元化基準情報を格納する基準データ記憶部を有し、各発電ユニット側で無次元化加工を行なう表示データ加工部の処理を施した後のデータ（無次元表示データ）を、データ通信部を介して各発電ユニットから総括計算機に上げるように構成してもよい。
【０１２５】
また、上述した各実施形態では、図１２に示す基準データ選択部４５、基準データ群記憶部Ｍ１０、図１８に示す履歴データ収集部５２、履歴データ記憶部Ｍ２０、基準データ生成部５５についても、必ずしも総括計算機２内に存在する必要はなく、各ユニット毎の項目に対して、ユニット側でそれぞれ有する形式としてもよい。
【０１２６】
さらに、第１実施形態における無次元化基準情報は、各発電ユニットあるいは各発電所の各々のパラメータの定格値を用いるだけでなく、１００％値を定格値より更に高い、例えば、限界値と定めたり、０％値を定格のゼロ値まで設定せず、運用の最低値までと定めるなどしてもよい。発電機出力を例にすると、０％出力から１００％出力（定格値）までの範囲を考える基準情報設定の他にも、例えば、０％出力から１１０％出力（限界値）までを基準情報の範囲としてもよいし、１５％出力（最低運用出力）〜１００％出力（定格値）までを用いてもよい。
【０１２７】
さらにまた、第３実施形態における運転状態に応じて変化する無次元化基準情報についても、発電機出力域に対応した定常値の集合に限定されるものではなく、発電プラントの定常状態を発電機出力域で判定せず、発電機出力の変化率で判定してもよい。また、蒸気温度や蒸気圧力が一定領域の範囲内にあるといった別の情報によるプラントの定常領域を定義してもよい。
【０１２８】
ところで、第２の実施形態では、図１６および図１７に示したように、各パラメータデータの現在値に対応する無次元表示データ値を、定常値とその定常値からの偏差とから構成された式形式として生成して表示装置１２に表示したが、本発明はこれに限定されるものではない。
【０１２９】
例えば、図２２に示すように、全発電所総括監視用画面Ｉ２０Ａとして、各パラメータデータの現在値に対応する無次元データ値をそのまま表示し、定常値からの偏差を矢印状のマーカで視覚的に表示している。
【０１３０】
すなわち、Ａ発電所の１号機（♯１）に対応する無次元表示データ値として、現在の発電機出力値に対応する無次元データ値５０・２％と対応する定常値（５０．０％）に対する偏差０．２％を表す下向き矢印マーカ▼とから構成された無次元表示データ値が全発電所総括監視用画面Ｉ２０Ａ上に表示されている。なお、矢印マーカの向きは、定常値の無次元化現在値に対する向きを示しており、上記Ａ発電所の１号機（♯１）の場合では、定常値５０．０％は、無次元化現在値５０・２％より下降向きであるため、下向きの矢印マーカとなっている。
【０１３１】
また、例えば、Ａ発電所の２号機（♯２）の現在値に対応する無次元データ値（無次元化現在値）１００％と定常値１００％とは一致しているため、偏差０を表す上下向き矢印マーカ▼▲が表示されている。
【０１３２】
同様に、図２３は、偏差を矢印マーカで表示した主要項目総括監視用画面Ｉ２１Ａを示している。
【０１３３】
図２３において、上向き矢印マーカ▲や下向き矢印マーカ▼を２個含む無次元表示データ値は、偏差の絶対値が１．０％を超えていることを表しており、例えば、Ａ発電所１号機のａ温度は、無次元化現在値が８４．２％なのに対し、対応する定常値８５．４％であるので、定常値が現在値に対して１．０％以上上昇側であることを表す２つの上向き矢印マーカ▲▲が表示され、また、Ａ発電所２号機ｂ温度は、無次元化現在値が９０．０％なのに対し、対応する定常値８７．０％であるので、定常値が現在値に対して３．０％以上下降側であることを表す２つの下向き矢印マーカ▼▼が表示される。
【０１３４】
なお、偏差を示す視覚的表示は矢印マーカに限定されず、他の形態であってもよい。
【０１３５】
そして、上述した各実施形態では、発電プラントは３発電所を有し、各発電所は、最大３発電ユニットを有するように説明したが、上記発電所数、ユニット数に限定されないのは当然である。
【０１３６】
【発明の効果】
以上、本発明によれば、複数の発電ユニットの複数のパラメータデータに基づいて、それら複数のパラメータデータに対応し、かつ複数の発電ユニットそれぞれの特性に非依存な無次元表示データを生成することができるため、この無次元表示データを表示することにより、運転員は（オペレータ）は、複数の発電ユニットそれぞれの特性を十分に把握しなくても、複数の発電ユニットの運転状態を監視することができるため、従来、操作・監視のために各発電ユニットに３〜５人の運転員が必要だったものが、複数の発電ユニットを少数（例えば１人）の運転員により総括的に監視することができ、発電プラントの監視効率を向上させ、さらに発電プラント運転員を大幅に低減させることができる。したがって、発電プラント監視システムの人的コストを大幅に低減することができる。
【図面の簡単な説明】
【図１】本発明の第１の実施の形態に係る発電プラント監視システムの概略構成を示すブロック図。
【図２】図１に示すメモリの基準データ記憶部に各発電所の各発電ユニット毎に記憶された各発電ユニットの各発電機出力値に対応する無次元化基準データの一例を示す図。
【図３】図１に示すメモリのデータ記憶部に各発電所の各発電ユニット毎に記憶された各発電ユニットの現在の発電機出力値（現在値）を示す図。
【図４】図１に示すＣＰＵの処理の一例を示す概略フローチャート。
【図５】横軸を発電機出力（ＭＷ）、縦軸を無次元化（％）として、０．０ＭＷの時に０％、７００．０ＭＷの時に１００％となるようなグラフ。
【図６】図１に示すメモリに記憶された無次元表示データ値を示す図。
【図７】第１実施形態における現在の発電機出力値に対応する無次元表示データ値を含む全発電所総括監視用画面を示す図。
【図８】図１に示すメモリの基準データ記憶部に無次元基準データ値として記憶されたパラメータデータ値の定格値を示す図。
【図９】図１に示すメモリのデータ記憶部に記憶されたＡ発電所の各発電ユニット１号機〜３号機の主要５監視項目の現在のパラメータデータ値（現在値）を示す図。
【図１０】図１に示すメモリに記憶された無次元表示データ値を示す図。
【図１１】第１実施形態におけるＡ発電所の全ての発電ユニット１号機〜３号機における主要監視項目の現在のパラメータデータ値に対応する無次元表示データ値を含む主要項目総括監視用画面を示す図。
【図１２】本発明の第２の実施形態に係る発電プラント監視システムの概略構成を示すブロック図。
【図１３】図１２に示すメモリの基準データ群記憶部に各発電所の各発電ユニット毎に記憶された各発電ユニットの各パラメータデータの現在値に対応する無次元化基準データ群（無次元化基準情報群）の一例を示す図。
【図１４】第２実施形態における各発電ユニットが定常状態にあるか否かを、その各発電ユニットの現在の発電機出力に基づいて判断する処理を説明するためのグラフ。
【図１５】図１２に示すＣＰＵの処理の一例を示す概略フローチャート。
【図１６】第２実施形態におけるＡ発電所〜Ｃ発電所の全ての発電ユニットの現在の発電機出力値に対応する無次元表示データ値を含む全発電所総括監視用画面を示す図。
【図１７】第２実施形態におけるＡ発電所の１号機のａ温度の無限表示データ値および３号機のａ温度の無限表示データ値を含む主要項目総括監視用画面を示す図。
【図１８】本発明の第３の実施形態に係る発電プラント監視システムの概略構成を示すブロック図。
【図１９】図１８に示す履歴データ記憶部に格納された履歴データを示す図。
【図２０】図１８に示すＣＰＵの処理の一例を示す概略フローチャート。
【図２１】本発明の第４の実施形態に係る発電プラント監視システムの概略構成を示すブロック図。
【図２２】第２実施形態における全発電所総括監視用画面の変形表示例であり、偏差を矢印マーカで示した例を示す図。
【図２３】第２実施形態における主要項目総括監視用画面の変形表示例であり、偏差を矢印マーカで示した例を示す図。
【図２４】発電プラント内の全ての発電所の複数の発電ユニットそれぞれの現在の発電機出力を総括的に一覧表示する画面を示す図。
【図２５】各発電所の各発電ユニット１号機〜３号機の例えば主要な監視項目に対応するパラメータデータ値を総括的に一覧表示する画面を示す図。
【符号の説明】
１、４０、５０、６０  発電プラント監視システム
２  総括運転管理装置
３  総括計算機（総括コンピュータ）
５  データ通信部
１０、４２、５１、  ＣＰＵ
１１、４１、５３  メモリ、
１２  表示装置
１３  入力装置
１５  パラメータ入力部
２０  要求情報入力部
２１  表示データ加工部
２２  監視画面データ作成部
２３  出力部
４５  基準データ選択部
４６  表示データ加工部
５２  履歴データ収集部
５５  基準データ生成部
６１  表示データ切換部
Ｐ  発電プラント
Ｍ１  データ記憶部
Ｍ２  画面情報記憶部
Ｍ３  基準データ記憶部
Ｍ１０  基準データ群記憶部
Ｍ２０  履歴データ記憶部
ＹＡ１、ＹＢ１、ＹＣ１  １号発電ユニット（１号機）
ＹＡ２、ＹＢ２、ＹＣ２  ２号発電ユニット（２号機）
ＹＡ３  ３号発電ユニット（３号機）
【図１】
0004034495.tif 000006
【図２】
0004034495.tif 000007
【図３】
0004034495.tif 000008
【図４】
0004034495.tif 000009
【図５】
0004034495.tif 000010
【図６】
0004034495.tif 000011
【図７】
0004034495.tif 000012
【図８】
0004034495.tif 000013
【図９】
0004034495.tif 000014
【図１０】
0004034495.tif 000015
【図１１】
0004034495.tif 000016
【図１２】
0004034495.tif 000017
【図１３】
0004034495.tif 000018
【図１４】
0004034495.tif 000019
【図１５】
0004034495.tif 000020
【図１６】
0004034495.tif 000021
【図１７】
0004034495.tif 000022
【図１８】
0004034495.tif 000023
【図１９】
0004034495.tif 000024
【図２０】
0004034495.tif 000025
【図２１】
0004034495.tif 000026
【図２２】
0004034495.tif 000027
【図２３】
0004034495.tif 000028
【図２４】
0004034495.tif 000029
【図２５】
0004034495.tif 000030